(57)【特許請求の範囲】
【請求項１】
被施療者に対してマッサージ施療を行うエアーバッグであって、
柔軟性を有する第一基材と、
柔軟性を有する第二基材と、
前記第一基材及び前記第二基材の対向する位置に穿設された通気孔と、
前記第一基材及び前記第二基材が外縁部及び前記通気孔の周縁部において固着されて形  成される気密室を備え、
前記気密室における空気の流入及び排出により膨張及び収縮を繰り返す膨縮袋であり、 複数の前記膨縮袋が、それぞれに設けられた前記通気孔が連通して重ね合うよう固着さ れていることを特徴とするエアーバッグ。
【請求項２】
複数重ね合わされている隣り合う二つの前記膨縮袋において、それぞれの前記気密室を 繋ぐ接続孔が設けられていることを特徴とする請求項１に記載のエアーバッグ。
【請求項３】
前記膨縮袋の中央近傍に、前記気密室における空気の流入及び排出のときの通路となる 給排具が設けられていることを特徴とする請求項１又は請求項２に記載のエアーバッグ  。
【請求項４】
前記通気孔が一定間隔で設けられていることを特徴とする請求項１から請求項３のいず  れかに記載のエアーバッグ。
【発明の詳細な説明】
【技術分野】
【０００１】
本発明は、空気供給排気装置と接続されて、繰り返し空気が流入及び排出することにより膨張及び収縮させて、被施療部のマッサージを行うエアーバッグに関するものである。
【背景技術】
【０００２】
従来、各種マッサージ機において、腕部や脚部などの被施療部に対してマッサージするために、空気を給気及び排気を行うことで膨張又は収縮するエアーバッグを有するものが広く知られている。
【０００３】
例えば、特許文献１には、図１０から図１３において、塩化ビニールなどの素材を用いて、内シート及び外シートの２枚からなり、内シートや外シートの外周部等を溶着して形成される空気袋が開示されている。そして、その空気袋は、エアーポンプより送り出される空気により膨張収縮を繰り返す態様が開示されている。
【０００４】
また、特許文献２には、可動板に取り付けられ、エアー供給装置の駆動によりエアーホースを介してエアーの給排気がされて膨張及び収縮する複数のエアーバッグが開示されている。そして、それらのエアーバッグが膨張するときに被施療部が押圧されてマッサージがなされる態様が開示されている。
【先行技術文献】
【特許文献】
【０００５】
【特許文献１】特開平成６−１４２１４８号公報
【特許文献２】特開平成１０−８０４５３号公報
【発明の概要】
【発明が解決しようとする課題】
【０００６】
しかしながら、特許文献１に開示された空気袋、特許文献２に開示されたエアーバッグでは、給気された空気が漏れては十分なマッサージ効果が得られないために高分子樹脂など通気性に乏しい素材が用いられており、例えば、日本の夏場など湿度及び気温が高い時期において、それらエアーバッグが膨張及び収縮することで被施療部に押圧してマッサージが為される場合、エアーバッグと当接する被施療部は蒸れて汗ばむことで不快に感じることがあり、また、エアーバッグそのもの又はエアーバッグを覆う部材に汗が付着することにより汚れることもあった。
【０００７】
本発明は、上記の問題点に鑑みて発明されたものであり、日本の夏場など湿度、気温が高い時期において、被施療者の腕部、手部、頸部、背部、臀部、脚部、足部などの被施療部に押圧してマッサージが為されるときに、当接する被施療部が蒸れて汗ばむことを防止し、また、エアーバッグそのもの又はエアーバッグを覆う部材に汗が付着することを防止するエアーバッグを提供することを課題とする。
【課題を解決するための手段】
【０００８】
〔１〕すなわち、本発明は、被施療者に対してマッサージ施療を行うエアーバッグであって、柔軟性を有する第一基材と、柔軟性を有する第二基材と、前記第一基材及び前記第二基材の対向する位置に穿設された通気孔と、前記第一基材及び前記第二基材が外縁部及び前記通気孔の周縁部において固着されて形成される気密室を備え、
前記気密室における空気の流入及び排出により膨張及び収縮を繰り返す膨縮袋であり、複数の前記膨縮袋が、それぞれに設けられた前記通気孔が連通して重ね合うよう固着されていることを特徴とするエアーバッグである。
【００１０】
〔２〕そして、複数重ね合わされている隣り合う二つの前記膨縮袋において、それぞれの前記気密室を繋ぐ接続孔が設けられていることを特徴とする前記〔１〕に記載のエアーバッグである。
【００１１】
〔３〕そして、前記膨縮袋の中央近傍に、前記気密室における空気の流入及び排出のときの通路となる給排具が設けられていることを特徴とする前記〔１〕又は前記〔２〕に記載のエアーバッグである。
【００１２】
〔４〕そして、前記通気孔が一定間隔で設けられていることを特徴とする前記〔１〕から前記〔３〕のいずれかに記載のエアーバッグである。
【発明の効果】
【００１３】
本発明のエアーバッグによれば、日本の夏場など湿度、気温が高い時期において、被施療者の腕部、手部、頸部、背部、臀部、脚部、足部などの被施療部に押圧してマッサージが為されるときに、当接する被施療部が蒸れて汗ばむことを防止し、また、エアーバッグそのもの又はエアーバッグを覆う部材に汗が付着することを防止することができる。
【図面の簡単な説明】
【００１４】
【図１】本件発明のエアーバッグの一実施形態を示す収縮状態の全体斜視図である。
【図２】本件発明のエアーバッグの一実施形態を示す収縮状態の平面図である。
【図３】本件発明のエアーバッグの一実施形態を示す分解斜視図である。
【図４】本件発明のエアーバッグの一実施形態を示す膨張状態の全体斜視図である。
【図５】本件発明のエアーバッグの一実施形態を示す膨張状態の正面図である。
【図６】本件発明のエアーバッグの一実施形態等をマッサージチェアに配設したときの使用概略図である。
【図７】本件発明のエアーバッグの一実施形態をマットレスなどの寝具に配設したときの使用概略図である。
【発明を実施するための形態】
【００１５】
以下、本発明のエアーバッグを、図面に示す一実施形態に基づいてこれを詳細に説明する。なお、以下に説明する一実施形態は、本発明を実施するに好ましい具体例であるから、技術的に種々の限定がなされているが、本発明は、以下の説明において特に発明を限定する旨明記されていない限り、本実施形態に限定されるものではない。また、数値範囲をあらわす記載は上限と下限を含むものである。
【００１６】
図１は本件発明のエアーバッグの一実施形態において、内部の空気が排出された収縮状態を示す全体斜視図である。そして、図２は本件発明のエアーバッグの一実施形態における収縮状態を示す平面図である。そして、図３は本件発明のエアーバッグの一実施形態における分解斜視図である。そして、図４は、本件発明のエアーバッグの一実施形態において、内部に空気が流入された膨張状態を示す全体斜視図である。そして、図５は、本件発明のエアーバッグの一実施形態おける膨張状態を示す正面図である。そして、図６は、本件発明のエアーバッグの一実施形態等をマッサージチェアの内部に配設したときの使用概略図である。そして、図７は、本件発明のエアーバッグの一実施形態等をマットレスなどの寝具の内部に配設したときの使用概略図である。
【００１７】
図１から図３に示すように、本実施形態のエアーバッグＡＢは、柔軟性を有する第一基材１と、柔軟性を有する第二基材２と、第一基材１及び第二基材２の対向する位置に穿設された通気孔３と、第一基材１及び第二基材２がそれぞれの外縁部１１・２１及び通気孔３の周縁部２２において固着されて形成される気密室４を備えている膨縮袋５からなる。
【００１８】
さらに、二つの膨縮袋５・５´が、それぞれに設けられた通気孔３が連通して重ね合わされて固着されている。本実施形態において、エアーバッグＡＢは、二つの膨縮袋５・５´から構成されているが、他の実施形態において、三つの膨縮袋をそれぞれに設けられた通気孔が連通するように重ね合わされて固着されていても良い。また、膨縮袋が重ね合わされて用いられるときには、２〜５個の膨縮袋が用いられることが好ましい。膨縮袋の個数がこの範囲内であると、エアーバッグＡＢをマッサージチェア、マットレス、ソファ、自動車のシートなどに配設したときに、大きなスペースを設けずとも収容することができ、さらに、エアーバッグＡＢの厚み方向だけでなく長手方向及び短手方向にも通気できるために夏場などにおいてもより蒸れずに被施療者の腕部、手部、頸部、背部、臀部、脚部、足部などの被施療部をマッサージすることができる。
【００１９】
第一基材１は、柔軟性を有し、巨視的には平坦な略矩形状の部材である。第一基材１は、膨縮袋５を構成する部材で、外形において、長手方向が３００ｍｍであり、短手方向が１５０ｍｍである。そして、第一基材１には、第一基材１を貫通する円形状の通気孔３が穿設されている。通気孔３は一辺８０ｍｍの正方形の各頂点に直径２７ｍｍの円形状として４個設けられており、さらに、膨縮袋５における空気の出入り口となる給排具７を取り付ける給排具用孔８を対称にして、同様の通気孔３が４個設けられており、合計８個と複数の通気孔３が穿設されている。
【００２０】
通気孔３により空気が流れやすくなるために、日本の夏場など湿度、気温が高い時期において、エアーバッグＡＢがマッサージチェア、マットレス、ソファ、自動車のシートなどに配設されて、被施療者の腕部、手部、頸部、背部、臀部、脚部、足部などの被施療部に押圧してマッサージが為されるときに、当接する被施療部が蒸れて汗ばむことを防止し、また、エアーバッグＡＢそのもの又はエアーバッグＡＢを覆う部材に汗が付着することを防止することができる。さらに、通気孔３が一定間隔で複数個設けられていることにより、図４、図５に示すように膨張袋５を膨張させたときに、膨縮袋５の場所によって膨む程度に差が生じるために、膨縮袋５の外表面全体で押圧するのではなく被施療部のツボなど所望の箇所により効果的にマッサージすることができ、また、被施療部へ押圧時において、長手方向及び短手方向にも被施療部との間に隙間が生じて通気性が向上するために当接する被施療部が蒸れて汗ばむことを防止することができる。また、後述するように、エアーバッグＡＢを配設する装置に、送風機Ｆを設けて、通気孔３を通る空気の流れをつくって、より効果的に蒸れることを防止することもできる。
【００２１】
なお、本実施形態において、第一基材１の形状は、矩形形状であるが、他の実施において、配設する装置の形状に対応させて円形、略楕円形状、正方形などの多角形状とすることができる。また、本実施形態において、通気孔３の形状は円形であり、個数は合計８個であるが、他の実施形態において、通気孔３の形状は、楕円形、長孔、六角形などの多角形、又はそれらを組み合わせた形状等とすることができるし、個数においても所望の数を設けることができる。
【００２２】
第一基材１は、柔軟性を有するところ、材料として高分子樹脂が用いられており、具体的には、被施療部など外部と当接する表面は、ナイロンが用いられ、第二基材２側はポリウレタンが用いられ、高分子樹脂の２層構造となっている。このように構成すると、膨張及び収縮を繰り返して変形させても亀裂が生じたりなどの劣化が少なく、長期使用しても所望の押圧力でマッサージすることができる。また、他の実施形態において、高分子樹脂としては、ナイロンなどのポリアミド樹脂、ポリエチレンテレフタレートなどのポリエステル樹脂、ポリエチレン、ポリプロピレン、ポリ酢酸ビニル、ポリウレタン、不飽和ポリエステル樹脂、シリコーン樹脂などを単体で又はこれらを組み合わせて使用することができる。
【００２３】
また、第一基材１の中央近傍に、給排具７を取り付けるために、円形状の貫通孔である給排具用孔８が穿設されている。この給排具用孔８に給排具７を通して第一基材１から露出させて膨縮袋５への空気の流入及び排出を行う。
【００２４】
第二基材２は、柔軟性を有し、巨視的には平坦な略矩形状の部材である。第二基材２は、第一部材１とともに膨縮袋５を構成する部材で、外形において、長手方向が３００ｍｍであり、短手方向が１５０ｍｍである。そして、第二基材２には、第二基材２を貫通する円形状の通気孔３が穿設されている。通気孔３は第一基材１に設けられた複数ある各通気孔３と対向するように合計８個と複数の通気孔３が穿設されている。通気孔３による作用及び効果は、第一基材１において説明したとおりである。
【００２５】
なお、本実施形態において、第二基材２の形状は、矩形形状であるが、他の実施において、第一基材１において説明した第一基材１の形状に合わせて各種形状とすることができる。また、本実施形態において、通気孔３の形状は円形であり、個数は合計８個であるが、他の実施形態において、第一基材１において説明した通気孔３の形状に合わせて各種形状、個数とすることができる。
【００２６】
第二基材２は、柔軟性を有するところ、材料として高分子樹脂が用いられており、具体的には、第一基材１と同様に、被施療部など外部と当接する表面は、ナイロンが用いられ、第二基材２側はポリウレタンが用いられ、高分子樹脂の２層構造となっている。このように構成すると、膨張及び収縮を繰り返して変形させても亀裂が生じたりなどの劣化が少なく、長期使用しても所望の押圧力でマッサージすることができる。また、他の実施形態において、高分子樹脂としては、ナイロンなどのポリアミド樹脂、ポリエチレンテレフタレートなどのポリエステル樹脂、ポリエチレン、ポリプロピレン、ポリ酢酸ビニル、ポリウレタン、不飽和ポリエステル樹脂、シリコーン樹脂などを単体で又はこれらを組み合わせて使用することができる。
【００２７】
また、第二基材２の中央部には、長手方向に正方形状の３個の連接孔９が設けられている。この連接孔９は、第一基材１と第二基材２とで構成される膨縮袋５の内部空間である気密室４を、他の膨縮袋５´の気密室４´と接続するために用いられる３組の対向する接続部６・６を固定するために穿設されている。
【００２８】
第一基材１と第二基材２とが溶着されることにより、給排具７を通じて空気の流入及び排出が為される気密室４が形成される。具体的には、第一基材１における第二基材２側の面の外周である外縁部１１と、第二基材２における第一基材１側の面の外周である外縁部２１が高周波を照射するなどの方法により溶着され、さらに、第一基材１における第二基材２側の面に位置する通気孔３の周縁部１２と、第二基材２における第一基材１側の面に位置する通気孔３の周縁部２２とが高周波電流を流すなどの方法により溶着されて気密室４が形成される。高周波電流を流すなどの方法は、先行文献特開平６−１４２１４８や特開平５−８５２４５に開示されている技術を用いる。
【００２９】
なお、本実施形態において、膨縮袋５は、別個独立した第一基材１と第二基材２の二つの部材から構成されているが、他の実施形態において、一辺に開口部が設けられた矩形状の袋体など一つの部材を膨縮袋５の外形を形成する部材として構成されていてもよく、このとき袋体の一の面側が第一基材１となり、他の面側が第二基材２に相当することとなる。
【００３０】
そして、図３に示すように、もうひとつの膨縮袋５´は、第一基材１´、第二基材２´などにより構成されている。第一基材１´は上記第一基材１とおおよそ同様な形状、素材からなっており、第一基材１と同様に通気孔３´が穿設されているが、第一基材１との主たる相違点は、第二基材２の中央部に設けられた連接孔９と対向するように設けられた連接孔９´が穿設されている点、そして、第一基材１の中央近傍に穿設されていた給排具用孔８に相当する孔が設けられていない点である。
【００３１】
また、同様に、第二基材２´も上記第二基材２とおおよそ同様な形状、素材からなっており、第二基材２と同様に通気孔３´が穿設されているが、第二基材２との主たる相違点は、第二基材２の中央部に設けられた連接孔９に相当する孔が設けられていない点である。
【００３２】
二つの膨縮袋５・５´は、二つ接続部６・６を介して接続されている。具体的には、図３に示すように、膨縮袋５において、第二基材２における第一基材１側の面に位置し、連結孔９よりも大きい正方形状の接続部６と、膨縮袋５´において、第一基材１´における第二基材２´側の面に位置し、連接孔９´よりも大きい正方形状の接続部６とが溶着などの手段により固着されることで、二つの膨縮袋５・５´が接続される。
【００３３】
そして、接続部６の中心部には、円形状の接続孔６１が穿設されており、膨縮袋５の気密室４と、膨縮袋５´の気密室４´が連通し、給排具７を通じて流入した空気が二つの膨縮袋５・５´に供給される。
【００３４】
エアーバッグＡＢは次のとおり作成される。図３において、まず、接続部６の外縁である外枠部６２を、接続部６・６で第二基材２の連接孔９及び第一基材１´の連接孔９´を覆うように第二基材２及び第一基材１´に固着するとともに、対向する接続部６・６の接続孔６１の外側にある円形状の外周部６３同士を固着して、第二基材２と第一基材１´を一体化する。そして、第一基材１の給排具用孔８に給排具７を通して固着させてから、第一基材１の外縁部１１及び周縁部１２と、第二基材２の外縁部２１及び周縁部２２と固着させ、そして、第一基材１´の外縁部１１´及び周縁部１２´と、第二基材２´の外縁部２１´及び周縁部２２´と固着させて、エアーバッグＡＢが作成される。
【００３５】
このように得られたエアーバッグＡＢに、給排具７を通じて、図示しない給気排気装置によって給気されたり、排気されたりして、膨張及び収縮を繰り返して、被施療部を押圧してマッサージを行う。
【００３６】
エアーバッグＡＢが実際に配設される装置としては、マッサージチェア、マットレス、ソファ、自動車のシートなど種々挙げられる。図６には、マッサージチェアにエアーバッグＡＢが配設されたときの概略図が示されており、図７には、マットレスにエアーバッグＡＢが配設されたときの概略図が示されている。
【００３７】
図６において、マッサージチェアの座部の下方にエアーバッグＡＢが複数配設され、被施療者の臀部を押圧してマッサージするとともに、各通気孔３に送風機ＦからダクトＤを通じて空気を送られて、より効果的に被施療部が蒸れることを防止することができる。
【００３８】
図７において、マットレスの内部にエアーバッグＡＢが複数配設され、被施療者の背部、腰部、臀部などの被施療部を押圧してマッサージするとともに、各通気孔３に送風機ＦからダクトＤを通じて空気を送られて、より効果的に被施療部が蒸れることを防止することができる。
【符号の説明】
【００３９】
ＡＢ・・・エアーバッグ
１・・・第一基材
１１・・・外縁部
１２・・・周縁部
２・・・第二基材
２１・・・外縁部
２２・・・周縁部
３・・・通気孔
４・・・気密室
５・・・膨縮袋
６・・・接続部
６１・・・接続孔
６２・・・外枠部
６３・・・外周部
７・・・給排具
８・・・給排具用孔
９・・・連接孔
Ｆ・・・送風機
Ｄ・・・ダクト
【図１】
0006421979.tif 000002
【図２】
0006421979.tif 000003
【図３】
0006421979.tif 000004
【図４】
0006421979.tif 000005
【図５】
0006421979.tif 000006
【図６】
0006421979.tif 000007
【図７】
0006421979.tif 000008